(57)【要約】【課題】Ｂｌｕｅｔｏｏｔｈのようなコネクション型の通信方式では、論理的なコネクションを維持するために音声信号を伝送していない間も送受信動作を実行していなければならず、大きな電力が消費されているという問題があった。【解決手段】本発明では、ヘッドセット１０には、装着検出部１８が設けられ、この装着検出部１８にてヘッドセット１０が使用者に装着されているか否かを検出することで、ヘッドセット１０の使用状態に応じて、無線通信の相手となる音楽再生装置４０との間の無線通信接続の確立及び切断の制御を自動的に実行する。この処理により、未使用状態時には、ヘッドセット１０は、音楽再生装置４０との間の無線接続が自動的に切断されることで省電力が図られる。【選択図】  図２
2004297256.tif 000002
【特許請求の範囲】
【請求項１】
音楽再生装置から無線通信により送信される音声信号を受信するワイヤレスヘッドセットにおいて、
外部からの音声信号を受信する無線部と、
この無線部で受信した音声信号を出力するスピーカ部と、
当該ヘッドセットが使用者に装着されているか否かを検出する検出部と、
この検出部により、当該ヘッドセットが使用者に装着されたことを検出した際、前記音楽再生装置との間の無線通信接続の確立を行い、当該ヘッドセットが使用者から取外されたことを検出した際、前記音楽再生装置との間の無線通信接続を切断する制御部と
を具備することを特徴とするワイヤレスヘッドセット。
【請求項２】
前記検出部により当該ヘッドセットが使用者に装着されたことを検出した際に、電源をオンし、当該ヘッドセットが使用者から取外されたことを検出した際に、前記音楽再生装置との間の無線通信接続を切断した後、電源をオフするスイッチをさらに具備したことを特徴とする請求項１記載のワイヤレスヘッドセット。
【請求項３】
前記制御部は、前記音楽再生装置との間で無線通信接続の確立処理を行う際に、無線通信接続の確立処理に必要な接続要求信号を前記音楽再生装置に送信することを特徴とする請求項１記載のワイヤレスヘッドセット。
【請求項４】
前記音楽再生装置から無線通信接続の確立処理に必要な接続要求信号が発信される場合には、前記制御部は、前記検出部により当該ワイヤレスヘッドが使用者に装着されたことを検出した際に、前記無線部にて前記接続要求信号を受信待ち受けするように制御する請求項１記載のワイヤレスヘッドセット。
【請求項５】
音楽再生装置から無線通信により送信される音声信号を受信するワイヤレスヘッドセットにおいて、
当該ヘッドセットが使用者に装着されているか否かを検出部にて検出し、
この検出部により、当該ヘッドセットが使用者に装着されたことを検出した際、前記音楽再生装置との間の無線通信接続の自動的に確立し、
前記検出部により、当該ヘッドセットが使用者から取外されたことを検出した際、前記音楽再生装置との間の無線通信接続を自動的に切断することを特徴とするワイヤレスヘッドセットの無線通信接続制御方法。
【発明の詳細な説明】
【０００１】
【発明の属する技術分野】
本発明は、人体に装着して音声信号を無線通信で送受信するワイヤレスヘッドセット並びに当該ワイヤレスヘッドセットの無線通信接続の制御方法に関する。
【０００２】
【従来の技術】
従来、電子情報通信機器間を通信接続する場合、有線方式で行うのが一般的であるが、最近では、これに変えて無線方式を適用することでユーザビリティを高める試みがなされている。
【０００３】
また、ＢｌｕｅｔｏｏｔｈやＨｏｍｅＲＦ等のパーソナルエリアの無線技術の出現により、パーソナルコンピュータ、携帯電話等の電子情報通信機器に対して、これら無線インターフェースの採用が検討され、実用化され始めている。さらに、今後、無線インターフェースに関しては、色々な分野への適用が期待されており、音楽再生装置等のＡＶ機器への応用も検討されている。
【０００４】
このＡＶ機器への応用の一つとして考えられているのが、ワイヤレスヘッドセットへの音声信号等のＡＶデータの伝送である。この場合、ワイヤレスヘッドセットをオーディオプレイヤと無線接続することにより、従来の接続ケーブルが不要となり、より快適なオーディオ再生環境が期待されている。従来から、ワイヤレスヘッドセットの分野では、赤外線、高周波無線などを用いたものが実用化されている。また、最近では、Ｂｌｕｅｔｏｏｔｈ技術を用いたワイヤレスヘッドセットの開発も進められている（特許文献１参照）。
【０００５】
このような無線通信を利用したワイヤレスヘッドセットの場合、ユーザの使い勝手を向上させるためには、バッテリによる長時間駆動を可能とすることが必須となり、電池の消耗を可能な限り防ぐことが必要となる。
【０００６】
この問題を解決する一つの方法として、人体に装着して使用されることが前提となるヘッドセット、補聴器等の音声信号装置で、人体に装着した使用時にのみ電源を自動的にＯＮし、非装着時の不使用時には電源をＯＦＦし、電池の消耗を防ぐことが考えられている（特許文献２）。
【０００７】
【特許文献１】
特開２００２−１１２３８３号公報
【特許文献２】
特開２００２−３０５７８５号公報
【０００８】
【発明が解決しようとする課題】
しかしながら、無線通信を利用したワイヤレスヘッドセットの場合には、このヘッドセットと接続対象となるオーディオプレイヤ等の音楽再生装置（音楽データ等をヘッドセットに送信）との間で無線通信接続を確立する必要がある。
【０００９】
このヘッドセットとの間で無線通信接続を確立するためには、使用者がヘッドセットまたはその接続対象となる音楽再生装置を操作する必要がある。さらに、ヘッドセットの使用を停止する場合でも、使用者は、ヘッドセットまたはその接続対象となる音楽再生装置を操作して無線通信接続を切断する必要があった。そのため、使用者が、ヘッドセットの使用停止の操作を怠った場合には、無線通信接続が継続され、ヘッドセットの電池を無駄に消費するという問題があった。
【００１０】
また、Ｂｌｕｅｔｏｏｔｈのようなコネクション型の無線通信方式の場合には、論理的なコネクションを保った状態で各種データを送受信することにより、多くの機器への適用を図っているため、論理的なコネクションを維持するために音声信号を伝送していない期間でも送受信動作を実行していなければならず、常に大きな電力が消費されている状態となっている。このような状況では、無線通信接続を確立した状態が継続していると、装置のバッテリ残量の低下が著しくなるという問題がある。
【００１１】
そこで、Ｂｌｕｅｔｏｏｔｈのようなコネクション型の無線通信方式をワイヤレスヘッドセットへの適用を考えた場合、長時間駆動を可能とするためにも、省電力制御の問題を解決しなければならない。
【００１２】
本発明においは、上記問題を解決するために、人体に装着した用いるワイヤレスヘッドセットにおいて、無線通信接続状態の確立、切断の制御に関して、使用者の操作性を改善し、かつ消費電力の低減を実現することができるワイヤレスヘッドセットを提供することを目的とする。
【００１３】
【課題を解決するための手段】
上記目的を達成するために、音楽再生装置から無線通信により送信される音声信号を受信するワイヤレスヘッドセットにおいて、外部からの音声信号を受信する無線部と、この無線部で受信した音声信号を出力するスピーカ部と、当該ヘッドセットが使用者に装着されているか否かを検出する検出部と、この検出部により、当該ヘッドセットが使用者に装着されたことを検出した際に、音楽再生装置との間の無線通信接続の確立を行い、当該ヘッドセットが使用者から取外されたことを検出した際に、音楽再生装置との間の無線通信接続を切断する制御部とを具備することを特徴とするものである。
【００１４】
上記構成により、ワイヤレスヘッドセットの無線通信接続状態の確立、切断の制御に関して、使用者の操作性を改善し、かつ消費電力の低減を実現することができる。
【００１５】
【発明の実施の形態】
以下、図面を参照して本発明の実施の形態について説明する。
【００１６】
図１は、本発明の一実施形態に係わる無線通信により音楽情報等を受信するワイヤレスヘッドセット１０と音楽情報等を再生するパーソナルコンピュータ等の音楽再生装置４０とを用いたシステム構成を示すものである。
【００１７】
図１において、ワイヤレスヘッドセット１０は、Ｂｌｕｅｔｏｏｔｈ方式の無線通信手段をもったものであり、Ｂｌｕｅｔｏｏｔｈ規格で決められた方式にそって無線通信を行うものである。Ｂｌｕｅｔｏｏｔｈ規格ではＨｉＦｉオーディオデータを無線で送受信するためのＡＶプロファイル規格が定められており、このＡＶプロファイルに準拠して、Ｂｌｕｅｔｏｏｔｈによって無線通信された音楽データを受信し、再生することができるものである。
【００１８】
音楽再生装置４０は、例えば、記憶媒体（ＭＤ、メモリカード、ハードディスクなど）に記憶された音楽データを再生し、ヘッドフォン端子からアナログ音声信号として出力するパーソナルコンピュータで構成される。一般的な使用方法としては、このヘッドフォン端子に有線方式の通常のヘッドフォンを接続して、音楽を聴くことができるものであるが、本発明の一実施形態では、音声信号をワイヤレスヘッドセット１０に無線送信することで音楽を聴くことを可能とする。
【００１９】
ワイヤレスヘッドセット１０は、音声出力手段であるスピーカ１２、音声入力手段であるマイク１４、無線通信手段であるアンテナ１６とを備え、このアンテナ１６を介して音楽再生装置４０との間で音声信号の無線通信を行う。
【００２０】
さらに、このワイヤレスヘッドセット１０には、使用者の人体に装着されていることを検出する装着検出部１８が設けられている。この装着検出部１８によりワイヤレスヘッドセット１０が使用者の頭部に装着されていることが検出された場合、ヘッドセット１０は、電源をＯＮ状態とし、さらに音楽再生装置４０との間で無線通信接続を自動的に確立し、ヘッドセット１０と音楽再生装置４０との間の音声データの送受信が可能となる。
【００２１】
また、装着検出部１８によりヘッドセット１０が使用者から取外されたこと（非装着状態）を検出した場合には、ヘッドセット１０は音楽再生装置４０との間の無線通信接続を自動的に切断し、ヘッドセット１０と音楽再生装置４０との間の音声データの送受信を停止するとともに、電源をＯＦＦ状態とする。
【００２２】
次に、図２並びに図３を参照して、ヘッドセット１０の内部構成並びに音楽再生装置４０の内部構造につき説明する。
【００２３】
図２はヘッドセット１０の内部構成を示すものである。ヘッドセット１０は、アンテナ１６を介して音楽再生装置４０から無線送信されてくる音楽情報等の音声信号が入力される無線部２０、この無線部２０からの音声信号を復調する復調部２２、並びに復調部２２で復調された音声信号を増幅したスピーカ１２に送る増幅部２４とが備えられている。
【００２４】
無線部２０は、例えばＢｌｕｅｔｏｏｔｈ方式の無線通信手段をもったものであり、Ｂｌｕｅｔｏｏｔｈ規格で決められた方式に基づいて無線通信を行うものである。Ｂｌｕｅｔｏｏｔｈ規格ではＨｉＦｉオーディオデータを無線で送受信するためのＡＶプロファイル規格が定められており、このＡＶプロファイルに準拠して、Ｂｌｕｅｔｏｏｔｈによって無線通信された音楽データを受信し再生する。
【００２５】
また、ヘッドセット１０には、マイクを介して入力されるこのヘッドセット１０を装着したユーザの音声等の音声信号が入力され、当該音声信号を変調する変調部２６を有し、この変調部２６で変調された音声信号は、無線部２０に入力され、この無線部２０、アンテナ１６を介して音楽再生装置４０に送信される。
さらに、ヘッドセット１０には、当該ヘッドセット１０全体を制御する制御部２８、当該ヘッドセット１０の電源をオン／オフ制御するスイッチ３０及び当該ヘッドセット１０が人体に装着されたことを検出する装着検出部１８とが設けられている。
【００２６】
装着検出部１８には、感圧スイッチ３２が設けられており、ヘッドセット１０が使用者の頭部に装着された場合に、この感圧スイッチ３２が導通することにより、ヘッドセット１０が使用者に装着されたことを検出する。この感圧スイッチ３２により装着検出部１８がヘッドセット１０が使用者に装着されたことを検出した場合、この検出結果が制御部２８に伝えられ、制御部２８は、スイッチ３０をＯＮとすることでヘッドセット１０の電源をＯＮ状態とする。さらに、制御部２８は、無線部２０を介して音楽再生装置４０との間で無線通信接続を自動的に確立し、ヘッドセット１０と音楽再生装置４０との間の音声データの送受信を可能とする。
【００２７】
また、ヘッドセット１０が使用者の頭部から取り外された場合には、この感圧スイッチ３２の導通状態がなくなることで、ヘッドセット１０が使用者に取り外されたことを検出する。この際、制御部２８は、無線部２０を介して、音楽再生装置４０との間での無線通信接続を自動的に切断する。さらに、制御部２８は、スイッチ３０をＯＦＦしてヘッドセット１０の電源をＯＦＦ状態とする。
【００２８】
次に、図３を用いて、音楽再生装置４０の内部構成につき説明する。
【００２９】
音楽再生装置４０は、ヘッドセット１０との間で音声信号を送受信するアンテナ４２、並びにこのアンテナ４２に音楽情報等の音声信号を送信し、かつアンテナ４２から受信したヘッドセット１０の装着者の音声信号を受信する無線部４４が設けられている。この無線部４４は、ヘッドセット１０の無線部４２と同様に、例えばＢｌｕｅｔｏｏｔｈ方式の無線通信手段をもったものであり、Ｂｌｕｅｔｏｏｔｈ規格で決められた方式にそって無線通信を行うものである。
【００３０】
さらに、音楽再生装置４０は、記憶媒体（ＭＤ、メモリカード、ハードディスクなど）に記憶された音楽データを再生する音声処理部４６、この音声処理部で再生された音声信号を変調して無線部４４に送る変調部４８及び無線部４４によって受信した音声信号を復調する復調部５０とが設けられており、この復調部５０で復調された音声信号は音声処理部４８に送り音声データとして再生処理される。
【００３１】
次に、図１乃至図３に示したワイヤレスヘッドセット１０と音楽再生装置４０とにおいて、ワイヤレスヘッドセット１０が使用者に装着された場合の無線通信接続の確立処理、並びにワイヤレスヘッドセット１０が使用者から取り外された場合の無線通信接続処理の切断処理に関して具体的に説明する。
【００３２】
まず、ワイヤレスヘッドセット１０が使用者から装着された場合の処理につき説明する。
【００３３】
ヘッドセット１０には、使用者の装着状態を検出する装着検出部１８が設けられている。この装着検出部１８では、ヘッド１０が使用者の頭部に取り付けられた場合には、装着検出部１８に取付けられた感圧スイッチ３０が導通することで、ヘッドセット１０が使用者の人体に装着されたことを検出し、この検出信号を制御部２８に伝える。制御部２８では、ヘッドセット１０が使用者の人体に装着されたとき、スイッチ３０をＯＮすることでヘッドセット１０の電源を自動的にＯＮ状態とする。
【００３４】
さらに、装着検出部１８により、ヘッドセット１０が使用者の人体に装着されたことを検出し、この検出信号が制御部２８に伝えられた場合、制御部２８は、無線部２０を介して、接続対象となる音楽再生装置４０との間の無線通信接続処理を自動的に実行する。
【００３５】
この場合、制御部２０は、接続対象となる特定の音楽再生装置４０の識別アドレスが予め登録されていない場合には、無線部２０を介して周辺にある無線通信装置を探索するための信号をアンテナ１６から発信し、その信号に応答してきた無線通信装置に対して、改めて無線接続要求信号を発信することで、ヘッドセット１０と信号に応答してきた無線通信装置（この場合、無線通信装置を音楽再生装置４０とする）との無線通信接続を自動的に確立する処理を実行する。この処理手順を図４を用いて詳細に説明する。
【００３６】
無線通信方式がＢｌｕｅｔｏｏｔｈ方式である場合に、ワイヤレスヘッドセット１０は、このヘッドセット１０の周囲にある無線通信装置（音楽再生装置４０と他の無線通信装置Ｍを含む）に対し、Ｉｎｑｕｉｒｙ信号を送信する（ＳＴＥＰ１）。このＩｎｑｕｉｒｙ信号を受信した無線通信装置（音楽再生装置４０並びに無線通信装置Ｍ）は、ＦＨＳパケットを含む信号をヘッドセット１０に返信する（ＳＴＥＰ２）。このＦＨＳパケットには、無線通信装置（音楽再生装置４０、無線通信装置Ｍ）の識別アドレス（以下ＢＤ＿ＡＤＤＲ）、並びに当該無線通信装置（音楽再生装置４０、無線通信装置Ｍ）がどのような機能を有するものであるかを示す情報（Ｃｌａｓｓｏｆ  Ｄｅｖｉｃｅ（以下ＣｏＤ）情報）が含まれている。
【００３７】
このＦＨＳパケットを受信したヘッドセット１０は、ＦＨＳパケットに含まれているＣｏＤ情報を参照して、当該ヘッドセット１０と無線通信接続を行う音楽再生装置４０（ＨＤＤ等の記憶媒体に記憶された音楽データを再生する装置）に対して、ＦＨＳパケットに含まれていたＢＤ＿ＡＤＤＲを用いて接続要求を発信する。この場合、ヘッドセット１０は、音楽再生装置４０のＢＤ＿ＡＤＤＲを含む接続要求信号ＬＭＰ＿ｈｏｓｔ＿ｃｏｎｎｅｃｔｉｏｎ＿ｒｅｑを音楽再生装置４０に対して送信する（ＳＴＥＰ３）。
【００３８】
ヘッドセット１０から接続要求信号ＬＭＰ＿ｈｏｓｔ＿ｃｏｎｎｅｃｔｉｏｎ＿ｒｅｑを受けた音楽再生装置４０では、ヘッドセット１０からの接続要求信号ＬＭＰ＿ｈｏｓｔ＿ｃｏｎｎｅｃｔｉｏｎ＿ｒｅｑに対して、接続要求に応じることを示す応答信号ＬＭＰ＿ａｃｃｅｐｔｅｄをヘッドセット１０に送信する（ＳＴＥＰ４）。
【００３９】
次に、音楽再生装置４０からの応答信号ＬＭＰ＿ａｃｃｅｐｔｅｄを受信したヘッドセット１０は、接続確立信号ＬＭＰ＿ｓｅｔｕｐ＿ｃｏｍｐｌｅｔｅを音楽再生装置４０へ送信し（ＳＴＥＰ５）、さらに、この接続確立信号ＬＭＰ＿ｓｅｔｕｐ＿ｃｏｍｐｌｅｔｅを受信した音楽再生装置４０では、接続確立信号ＬＭＰ＿ｓｅｔｕｐ＿ｃｏｍｐｌｅｔｅをヘッドセット１０へ送信する（ＳＴＥＰ６）。ヘッドセット１０は、この接続確立信号ＬＭＰ＿ｓｅｔｕｐ＿ｃｏｍｐｌｅｔｅを音楽再生装置４０から受信することにより（ヘッドセット１０と音楽再生装置４０との間で接続確立信号ＬＭＰ＿ｓｅｔｕｐ＿ｃｏｍｐｌｅｔｅのやり取りを行う）、ヘッドセット１０と音楽再生装置４０との間では、Ｂｌｕｅｔｏｏｔｈ方式での無線通信接続が自動的に確立される。
【００４０】
上記の実施形態で説明した例では、ヘッドセット１０の制御部２８に無線接続対象となる装置の識別アドレスが登録されていない場合につき説明したが、制御部２８に予め接続対象となる音楽再生装置４０の識別アドレスが登録されている場合もある。この場合には、制御部２８は、無線部２０を介して、無線接続の対象となる音楽再生装置４０に対して無線接続を開始するように無線接続要求信号を発信する。この無線接続要求信号を受信した音楽再生装置４０では、音声処理部４８にて無線接続要求信号に応答する応答信号を生成し、無線部４４を介してヘッドセット１０に応答信号を返すことで、ヘッドセット１０と音楽再生装置４０との間の無線通信接続が確立される。
【００４１】
このようにヘッドセット１０と音楽再生装置４０との間で無線通信接続が確立された後、ヘッドセット１０と音楽再生装置４０との間での音声信号の送受信が可能となる。
【００４２】
無線通信接続が確立された状態の場合、音楽再生装置４０では、音声処理部４８で生成された音声データは、変調部４６で変調され無線部４４に送られて、アンテナ４２を介して外部に音声信号として送信される。この送信された音声信号は、音楽再生装置４０と無線通信接続が確立されたヘッドセット１０のアンテナ１６を介して無線部２０で受信する。ヘッドセット１０では、無線部２０で受信した音声信号は復調部２２で復調され、さらに増幅器２４で増幅されてスピーカ１２に送られる。このヘッドセット１０を装着した使用者は、このスピーカ１２から音楽再生装置４０から送信される音楽データ等を聴くことが可能となる。
【００４３】
また、本発明の一実施形態では、ヘッドセット１０を装着した使用者が発声した音声等の情報を無線通信により音楽再生装置４０に送り、音楽再生装置４０で再生することも可能である。
【００４４】
ヘッドセット１０を装着した使用者が発した音声は、マイク１４に入力され、さらに変調部２６により変調される。この変調された音声信号は無線部２０からアンテナ１６を介して外部に送信される。この際、ヘッドセット１０と無線通信接続が確立されている音楽再生装置４０は、ヘッドセット１０から送信された音声信号をアンテナ４２を介して無線部４４で受信する。無線部４４で受信した音声信号は、復調部５０で復調され、音声処理部４８に送る。この音声処理部４８は、周知の音声認識処理機能を備えており、ヘッドセット１０から送信されてきた音声データが音声処理部４８で音声認識処理を行うことで、ヘッドセット１０を装着した使用者が発した音声の再生が可能となる。
【００４５】
以上のように、本発明の一実施形態においては、ヘッドセット１０を使用者の頭部に装着した際に、この装着した状態を装着検出部１８で検出することで、ワイヤレスヘッドセット１０の電源をＯＮとする。さらに、ヘッドセット１０と音楽再生装置４０との間の無線通信接続の確立を自動的に実行することで、ヘッドセット１０と音楽再生装置４０との間の音声信号の送受信を可能とする。この処理により、使用者はヘッドセット１０を装着するだけで、特別な操作を行うことなく、音楽再生装置４０との間の無線接続処理が自動的に確立することで、音楽再生装置４０で再生された音楽データ等を聴くことが可能となる。
【００４６】
次に、ワイヤレスヘッドセット１０が使用者から取り外された場合の無線接続処理の切断方法について説明する。
【００４７】
使用者がヘッドセット１０を頭部から取外すと、ヘッドセット１０の装着検出部１８の感圧スイッチ３２が遮断されることで、装着検出部１８がヘッドセット１０が使用者から取外されたことを検出し、この検出信号を制御部２８に伝える。制御部２８では、この検出信号を受けると、無線接続が確立されている音楽再生装置４０との無線接続の切断処理を自動的に実行する。
【００４８】
無線方式としてＢｌｕｅｔｏｏｔｈ方式を用いる場合、図５に示す通り、ヘッドセット１０から無線部２０、アンテナ１６を介して、無線接続の切断要求を行う切断要求信号ＬＭＰ＿ｄｅｔａｃｈを音楽再生装置４０に送信する（ＳＴＥＰ７）。Ｂｌｕｅｔｏｏｔｈ方式の場合では、この切断要求信号ＬＭＰ＿ｄｅｔａｃｈに対する応答は必要とせず、音楽再生装置４０はヘッドセット１０から切断要求信号ＬＭＰ＿ｄｅｔａｃｈを受信することで、ヘッドセット１０との無線接続は切断される。さらに、ヘッドセット１０では、音楽再生装置４０との無線接続が切断された後、制御部２８によりスイッチ３０をＯＦＦすることで電源をＯＦＦ状態とする。
【００４９】
本発明の一実施形態のワイヤレスヘッドセット１０では、これらの処理を実行することで、使用者がヘッドセット１０を取外した場合には、自動的に音楽再生装置４０との間の無線接続を切断する。この構成により、ヘッドセット１０が使用状態でないときには、音楽再生装置４０との間の無線接続を行わず、Ｂｌｕｅｔｏｏｔｈのようなコネクション型の無線通信方式を採用したヘッドセット１０においても、省電力が図られ長時間駆動を可能である。
【００５０】
以上説明した通り、本発明の一実施形態であるワイヤレスヘッドセット１０は、当該ヘッドセット１０が使用者に装着されたことを検出した際に、音楽再生装置４０との間の無線通信接続を確立し、さらに、使用者がヘッドセット１０を取外した際には、音楽再生装置４０との間の無線通信接続を自動的に切断する。
【００５１】
すなわち、このヘッドセット１０では、使用者は、特別の操作を行うことなく、単にヘッドセット１０を装着するだけで、音楽再生装置４０との間の無線接続が確立するので、音楽再生装置４０で再生される音楽等を聴くことが可能となる。さらに、このヘッドセット１０では、使用者が取外した際に、未使用状態であることを検出して自動的に音楽再生装置４０との間の無線接続を切断するので、未使用状態で音楽再生装置４０と無線通信が確立していることはなく、無駄な電力消費を抑えることができ、さらに使い勝手も向上する。また、使用者が、ワイヤレスヘッドセット１０の使用停止の操作を怠った場合でも、無線通信接続が切断されることで、省電力を図ることで長時間駆動が可能となる。
【００５２】
上記本発明の一実施形態では、ヘッドセット１０側から無線接続要求を送信する場合について説明したが、無線接続要求に関しては、音楽再生装置４０側から接続要求を発信して無線接続を確立することも有効である。
【００５３】
この場合には、音楽再生装置４０は、例えば電源投入などの際にヘッドセット１０への無線接続要求信号を発行することとなるが、ヘッドセット１０では、いつ音楽再生装置４０からの無線接続要求信号が発信されてくるかがわからないので、常にヘッドセット１０の無線部２０を動作させておく必要がある。そのため、ヘッドセット１０では、電源をＯＮ状態とし、かつ無線部２０が音楽再生装置４０からの無線接続要求信号を受信できる状態にしておかなければならないため、不要な電力を消費することとなる。
【００５４】
この問題を解消するため、本発明の別の実施形態では、ヘッドセット１０は、装着検出部１８の感圧スイッチ３２が遮断されている場合には、当該ヘッドセット１０が使用者に装着されていないと判断し、制御部２８は、音楽再生装置４０からの無線接続要求信号の受信待ち受けをしないように無線部２０を制御する。この場合、ヘッドセット１０は、装着検出部１８の感圧スイッチ３２が導通した場合には、使用者の人体に当該ヘッドセット１０が装着されたと判断し、制御部２８は、音楽再生装置４０からの無線接続要求信号を待ち受けるように無線部２０を制御する。この状態にて、音楽再生装置４０の電源投入等により、無線部４４からアンテナ４２を介して、ヘッドセット１０に対して無線接続要求信号が送信され、この無線接続要求信号をアンテナ１６を介して無線部２０が受信する。無線部２０では、音楽再生装置４０に対して、受信した無線接続要求信号に対する応答信号をアンテナ１６を介して送信し、この応答信号を音楽再生装置４０の無線部４４にて受信することで、ヘッドセット１０と音楽再生装置４０との間の無線接続が確立される。
【００５５】
以上説明した通り、本発明のヘッドセット１０では、使用者の人体への装着状態を検出することで、当該ヘッドセット１０の使用、非使用状態を検出し、この検出結果に基づいて、無線通信の相手となる音楽再生装置４０との間の無線通信接続の確立及び切断の制御を自動的に実行する。この構成により、使い勝手の良いヘッドセット１０を提供し、かつ未使用状態での無駄な電力消費を抑えることができる。
【００５６】
尚、本発明は上記実施の形態に限定されるものではなく、その要旨の範囲で種々変形して実施することが可能である。
【００５７】
例えば、ヘッドセット１０に設けられた装着検出部１８では、感圧スイッチ３２を用いて使用者の人体に装着されているか否かを検出したが、これに限ることはなく、赤外線センサなどを用いても同様に使用者がヘッドセット１０を装着しているか否かを検出することができる。
【００５８】
【発明の効果】
以上詳述した通り、本発明においては、無線通信により音声データを受信するワイヤレスヘッドセットにおいて、使い勝手の良く、かつ消費電力の低減を実現することができる。
【図面の簡単な説明】
【図１】本発明の一実施形態に係わる音声入出力装置と音楽再生装置とを用いたシステム構成を示す図である。
【図２】図１に示される音声入出力装置であるワイヤレスヘッドフォンの一構成例を示すブロック図である。
【図３】図１に示される音楽再生装置の一構成例を示すブロック図である。
【図４】図１に示される音声入出力装置と音楽再生装置との間の無線接続を確立するための処理を示す図である。
【図５】図１に示される音声入出力装置と音楽再生装置との間の無線接続を切断するための処理を示す図である。
【符号の説明】
１０  …  ワイヤレスヘッドセット
１２  …  スピーカ
１６  …  アンテナ
１８  …  装着検出部
２０  …  無線部
２８  …  制御部
３０  …  スイッチ
４０  …  音楽再生装置
【図１】
2004297256.tif 000003
【図２】
2004297256.tif 000004
【図３】
2004297256.tif 000005
【図４】
2004297256.tif 000006
【図５】
2004297256.tif 000007